(57)【要約】【課題】  発塵のおそれがなく、着脱操作を行い易い締め付けバンドを提供する。【解決手段】  本発明による締め付けバンド１は、締め付け対象物に巻かれるバンド本体２と、バンド本体の一端部からのび、外周面に雄ネジ溝３１を有しかつバンド本体に沿わせられるような可撓性を有するネジ軸部３と、ネジ軸部に嵌められかつ回転させることによってネジ軸部上を長さ方向に移動する移動体４と、移動体が着脱自在に係り止められるようにバンド本体に設けられた係止部５とを備えている。【選択図】  図１
2006328571.tif 000002
【特許請求の範囲】
【請求項１】
締め付け対象物に巻かれるバンド本体(2)、
バンド本体(2)の一端部からのび、外周面に雄ネジ部(31)を有し、かつバンド本体(2)に沿わせられるような可撓性を有するネジ軸部(3)、
ネジ軸部(3)にねじ嵌められ、かつ回転させることによってネジ軸部(3)上を長さ方向に移動する移動体(4)、および
移動体(4)が着脱自在に係り止められるようにバンド本体(2)に設けられた係止部(5)
を備えている、締め付けバンド。
【請求項２】
ネジ軸部(3)が合成樹脂によってバンド本体(2)と一体に成形されている、請求項１記載の締め付けバンド。
【発明の詳細な説明】
【技術分野】
【０００１】
本発明は、締め付けバンドに関し、より詳細には、特に半導体工場やクリーンルームの作業者が手袋の口部を締め付けるのに好適に用いられる締め付けバンドに関する。
【背景技術】
【０００２】
例えば半導体工場等で作業を行う場合、作業者は、断熱素材等を使用したインナー手袋の上から、合成樹脂等よりなる非発塵性のアウター手袋をはめて、その口部を締め付けバンドで締め付けるようにしていた。
【０００３】
ここで、締め付けバンドとしては、手袋と一体または別体に設けられ、かつ面ファスナによって着脱自在に止められるものが用いられていた（下記特許文献１参照）。
しかしながら、上記の締め付けバンドの場合、面ファスナに埃等が付着しやすく、半導体工場内において使用するには不向きであった。
【０００４】
また、面ファスナ以外のバンド固定手段（例えばスナップ、ボタン等）を備えた締め付けバンドも知られているが、特に半導体工場の作業者の場合、二重に手袋をはめた状態でバンド固定手段を操作する必要があり、いずれの手段も止めたり外したりする作業がやり難いという問題があった。
【特許文献１】実開平４−４４３１８号公報
【発明の開示】
【０００５】
本発明の目的は、発塵のおそれがなく、しかも着脱操作を行い易い締め付けバンドを提供することにある。
【０００６】
本発明による締め付けバンドは、
・締め付け対象物に巻かれるバンド本体、
・バンド本体の一端部からのび、外周面に雄ネジ部を有し、かつバンド本体に沿わせられるような可撓性を有するネジ軸部、
・ネジ軸部にねじ嵌められ、かつ回転させることによってネジ軸部上を長さ方向に移動する移動体、および
・移動体が着脱自在に係り止められるようにバンド本体に設けられた係止部
を備えているものである。
【０００７】
上記の締め付けバンドにあっては、バンド本体を固定する手段が、いずれも面ファスナのような発塵のおそれのないネジ軸部、移動体および係止部によって構成されている。したがって、本発明の締め付けバンドは、特に半導体工場やクリーンルームにおいて作業者がはめる手袋の口部を締め付けるのに好適に用いることができる。
【０００８】
また、上記の締め付けバンドを使用する場合、バンド本体を締め付け対象物に巻いて、移動体を係止部に係り止めるとともに、バンド本体によって締め付け対象物が締め付けられるように移動体を所要方向に所要量回転させて移動させるだけでよい。したがって、本発明の締め付けバンドによれば、例えば半導体製造工場等の作業者が二重に手袋をはめた状態でも、着脱作業を容易にかつ確実に行うことができる。
【０００９】
さらに、上記の締め付けバンドにあっては、ネジ軸部が、バンド本体に沿わせられるような可撓性を有しているので、締め付け時のバンド本体の径の大小にかかわらず、これにねじ嵌められた移動体を係止部に係り止める操作がし易く、また、移動体が係止部から外れ難い。従って、本発明による締め付けバンドは、バンド本体を十分に長くしておけば、径の大きい締め付け対象物から径の小さい締め付け対象物まで幅広く使用することが可能である。
【００１０】
本発明による締め付けバンドにおいて、ネジ軸部が合成樹脂によってバンド本体と一体に成形されている場合がある。
この場合、締め付けバンドの部品点数が減り、その分だけ組立工数も少なくなるので、製造コストを抑えることができるという利点がある。また、非発塵性も更に向上する。
もっとも、ネジ軸部は、所要の可撓性を有する金属製や合成樹脂製のネジ軸部材をバンド本体の一端部に接合することによって形成してもよい。
【００１１】
本発明による締め付けバンドにおいて、係止部が合成樹脂によってバンド本体と一体に形成されている場合もある。
この場合にも、締め付けバンドの部品点数が減り、その分だけ組立工数が少なくなって、製造コストを抑えることができ、また、非発塵性も向上する。
なお、係止部についても、上記構成以外に、バンド本体とは別体の係止部材をバンド本体に接合することによって形成することが可能である。
【００１２】
本発明による締め付けバンドにおいては、通常、以下の構成によって、移動体の回転操作によるネジ軸部上での長さ方向の移動が可能となされる。
即ち、１つは、移動体が、略筒状のものであって、その内周面に一部が突出するようにボールが内蔵され、ボールの突出部が雄ネジ部の溝内に配されるようになっている場合である。
また、もう１つは、移動体が、その内周面に雄ネジ部にねじ合わせられる雌ネジ部を有している場合、即ち、ナットよりなる場合である。
上記２つの構成のいずれを採用することも可能であるが、製造の容易さや操作性等を考慮すると前者がより好ましい。
【００１３】
本発明による締め付けバンドにおいて、移動体の両端部のうちネジ軸部の基端に近い方の端部に、移動体のその他の部分の外径よりも小さい外径を有する断面円形の径小部が、移動体の軸線と同軸に形成され、係止部が、バンド本体の外面から突出した突出壁部と、突出壁部の先端から基端に向かってのび、かつネジ軸部の外径より大きいが径小部の外径より小さい幅を有するスリットと、移動体と向かい合う突出壁部の側面にスリットの底に通じるように形成され、かつ径小部が嵌め入れられる欠円形の嵌入孔とで構成されている場合がある。
上記の場合、締め付けバンドの装着時には、バンド本体を締め付け対象物に巻いてから、ネジ軸部の先端または移動体を持って、ネジ軸部における移動体よりも基端側の部分を係止部のスリットに通した後、移動体の径小部を係止部の嵌入孔に嵌め入れるだけでよいから、片手でも簡単に作業を行うことができる。しかも、上記の場合、移動体の径小部が断面円形であって、これが欠円形の嵌入孔に嵌め入れられているので、移動体が係止部に係り止められた状態で、移動体を回転させて締め付け具合を調整することができ、使い勝手がよい。
【発明を実施するための最良の形態】
【００１４】
次に、図１〜５を参照して、本発明の好ましい実施形態を以下に説明する。これらの図において、本発明による締め付けバンド(1)は、締め付け対象物に巻かれるバンド本体(2)と、バンド本体(2)の一端部からのび、外周面に雄ネジ部(31)を有し、かつバンド本体(2)に沿わせられる程度の可撓性を有するネジ軸部(3)と、ネジ軸部(3)にねじ嵌められ、かつ回転させることによってネジ軸部(3)上を長さ方向に移動する移動体(4)と、移動体(4)が着脱自在に係り止められるようにバンド本体(2)の長さ中間部外面に設けられた係止部(5)とを備えている。
【００１５】
バンド本体(2)は、合成樹脂製であって、締め付け対象物に巻くことができるように、可撓性を有するものとなされている。バンド本体(2)の他端に、バンド本体(2)の一端側を通すためのリング(71)が取り付けられている。また、バンド本体(2)の一端寄りに、バンド本体(2)の他端側を通すためのリング(72)が取り付けられている。これらのリング(71)(72)により、バンド本体(2)は、閉じた輪の形態を保持したまま、径を拡大・縮小できるようになっている。
【００１６】
ネジ軸部(3)は、バンド本体(2)と一体に成形されている。より具体的には、バンド本体(2)の一端部が先端に向かって先細り状に形成されるとともに、その先端に連なってネジ軸部(3)が延長状に形成されている。
【００１７】
移動体(4)は、合成樹脂製または金属製の小さな筒体よりなり、その内周面に一部が突出するようにボール(6)が内蔵されている。ボール(6)は、移動体(4)の外周面から中心に向かってのびかつ内周面に開口したネジ孔（図示略）に挿入されている。ネジ孔は、ボール(6)の径よりも若干大きい径を有しているが、その内端開口だけは、ボール(6)が脱落しないようにボール(6)の径よりもやや小さい径となされている。そして、ボール(6)は、ネジ孔にねじ込まれたビス(8)の先端で押さえられることによって、その一部が移動体(4)の内周面に突出して雄ネジ部(31)の溝内に配されるように保持されている。なお、図面ではボール(6)は１つであるが、複数のボールを筒体に内蔵するようにしてもよく、特に各ボールを筒体の長さ方向に間隔をおいて並ぶように配置すれば、移動体のガタツキの防止や操作精度の向上が期待できる。
移動体(4)の両端部のうちネジ軸部(3)の基端に近い方の端部に、移動体(4)のその他の部分の外径よりも小さい外径を有する断面円形の径小部(41)が、移動体(4)の軸線と同軸に形成されている。
移動体(4)のもう一方の端部には、摘み部(42)が形成されている。摘み部(42)は、移動体(4)のうち径小部(41)を除いた残りの部分の外径よりもやや大きい外径を有しており、その表面には滑り止め用の刻みが格子状に形成されている。
【００１８】
係止部(5)は、バンド本体(2)と一体に成形されている。より具体的にいうと、係止部(5)は、バンド本体(2)の外面から突出した突出壁部(51)と、突出壁部(51)の先端から基端に向かってのび、かつネジ軸部(3)の外径より大きいが径小部(41)の外径よりも小さい幅を有するスリット(52)と、移動体(4)と向かい合う突出壁部の側面(511)にスリット(52)の底に通じるように形成され、かつ径小部(41)が嵌め入れられる欠円形の嵌入孔(53)とで構成されている。突出壁部(51)は、バンド本体(2)の幅とほぼ同じ幅を有し、バンド本体(2)の長さ方向に沿う断面が山形となされている。
【００１９】
次に、上記締め付けバンド(1)の使用方法を説明する。
まず、図１〜３に示すように、移動体(4)が係止部(5)から外れて径が大きく拡がった状態のバンド本体(2)を、例えば装着済みの手袋の口部（締め付け対象物）に指先側から嵌める。
次いで、バンド本体(2)が嵌められていない方の手指でネジ軸部(3)の先端または移動体(4)を持って、移動体(4)が係止部(5)を越えるところまでネジ軸部(3)および移動体(4)を引っ張り、ネジ軸部(3)における移動体(4)よりも基端側の部分を係止部(5)のスリット(52)に通した後、移動体(4)の径小部(41)を係止部(5)の嵌入孔(53)に嵌め入れる。これによって、図４および図５に示すように、移動体(4)が係止部(5)に係り止められる。この状態において、ネジ軸部(3)は、可撓性を有しているため、径の縮まったバンド本体(2)に沿わせられ、それによって、移動体(4)と係止部(5)との係合状態が確実に保持され、移動体(4)が容易に外れる心配がない。
その後、必要に応じて、移動体(4)を所要方向に所要量だけ回して移動させることにより、手袋の口部の締め付け具合を調整する。こうして、手袋の口部に締め付けバンド(1)が装着され、該バンド(1)によって手袋の口部が締め付けられる。なお、移動体(4)の位置の調整は、移動体(4)を係止部(5)に係り止める前に予め行っておくようにしても勿論よいし、また、バンド(1)を同一の対象物に繰り返して使用する場合には調整は不要となる。
締め付けバンド(1)を取り外す際には、上記と逆の操作を行えばよい。
【００２０】
以上の通り、本実施形態の締め付けバンド(1)によれば、これを構成するバンド本体(2)、ネジ軸部(3)、移動体(4)および係止部(5)がいずれも合成樹脂製であるため、極めて高い非発塵性が得られる。しかも、締め付けバンド(1)は、上述した通り、装着作業を極めて簡単にかつ確実に行うことが可能であるから、特に半導体製造工場の作業員が二重に手袋をはめた状態でアウター手袋の口部を締め付けるのに適している。
また、上記の締め付けバンド(1)は、バンド本体(2)とネジ軸部(3)と係止部(5)とが合成樹脂によって一体に成形されているので、部品点数が少なく、コストを抑えることができる。
さらに、上記の締め付けバンド(1)にあっては、上述した移動体(4)および係止部(5)の構成により、移動体(4)を係止部(5)に係り止めた状態のまま回転させて締め付け具合を調整することができるので、使い勝手がよい。
【図面の簡単な説明】
【００２１】
【図１】本発明の実施形態を示すものであって、締め付け前の状態の締め付けバンドの正面図である。
【図２】図１のII−II線に沿う締め付けバンドの拡大矢視図である。
【図３】図２のIII−III線に沿う締め付けバンドの拡大断面図である。
【図４】締め付け時の状態の締め付けバンドを示す正面図である。
【図５】図４のV−V線に沿う締め付けバンドの拡大矢視図である。
【符号の説明】
【００２２】
(1)：締め付けバンド
(2)：バンド本体
(3)：ネジ軸部
(31)：雄ネジ溝
(4)：移動体
(5)：係止部
【図１】
2006328571.tif 000003
【図２】
2006328571.tif 000004
【図３】
2006328571.tif 000005
【図４】
2006328571.tif 000006
【図５】
2006328571.tif 000007